(57)【要約】【課題】放熱効果を損なうことなく、外形設計の自由度がより大きい電子機器を提供する。【解決手段】内部に電子部品を備える電子機器において、第１背面板４と第２背面板５とが段差を有して並設され、第１背面板４の内面側に第１背面板４と離間して配置される内側配置部９ａと、第２背面板５の外面側に配置される外側配置部９ｃとを有する放熱器９を備えた。【選択図】　　　図１
2004055817.tif 000002
【特許請求の範囲】
【請求項１】
内部に電子部品を備える電子機器において、
第１の外壁部材と第２の外壁部材とが隙間を有して並設され、
前記第１の外壁部材の内面側に前記第１の外壁部材と離間して配置される内側配置部と、前記第２の外壁部材の外面側に配置される外側配置部とを有する放熱器を備えることを特徴とする電子機器。
【請求項２】
前記第１の外壁部材は、前記第２の外壁部材よりも外側に位置していることを特徴とする請求項１記載の電子機器。
【請求項３】
前記放熱器には、前記内側配置部の一方の側端から背面側に屈曲した屈曲部が備えられ、
前記外側配置部は、前記屈曲部の先端から前記内側配置部と略平行に突出していることを特徴とする請求項１又は２に記載の電子機器。
【発明の詳細な説明】
【０００１】
【発明の属する技術分野】
本発明は、電子機器に関する。
【０００２】
【従来の技術】
従来、例えば、カーオーディオなどの電子機器は、内部の電子部品の動作時に発せられた熱を電子機器外に放出するための放熱器を備えている。
このような放熱器は、放熱効果をより高めるため電子機器の外壁の外面に設けられたり、或いは外壁自体が放熱器により構成されていた。
また、例えば、特開平９−２７６９０号公報に記載された発明のように、放熱器（ヒートシンク）を筐体内部に備えたものも知られている。
【０００３】
【発明が解決しようとする課題】
しかしながら、上記従来の電子機器では以下に掲げる問題を有していた。
放熱器が外壁の外面に設けられている場合、電子機器の外形設計の自由度が低下するという問題があった。
更に、放熱器が外壁の外面に設けられた電子機器を所定の取付場所に取り付ける場合、放熱器と取付場所の取付部とが接触して取付部に熱影響を与えてしまうという問題もあった。
加えて、外壁が放熱器により熱を持つため、この外壁にゴム材等の熱に弱い材質のものを取り付けることができなかった。
また、放熱器が外壁に取り付けられる場合、有る程度の強度が必要とされるので重くなり、その取付には多くのビス等を要するため、取付作業が面倒であるという問題があった。
【０００４】
一方、放熱器が内側に設けられている場合、放熱器が外壁の外側に設けられている場合に比べて、放熱効果が劣るという問題があった。
更に、放熱器には高い熱が発生するため、放熱器や放熱器近傍に他の部材を取り付けることが困難となって内部設計許容範囲が狭いという問題もあった。
【０００５】
本発明の課題は、このような従来技術の問題点を解決することであり、具体的には、放熱効果を損なうことなく、外形設計の自由度をより大きくする電子機器を提供することである。
【０００６】
【課題を解決するための手段】
上記課題を解決するため、
請求項１記載の発明は、内部に電子部品を備える電子機器において、第１の外壁部材と第２の外壁部材とが隙間を有して並設され、前記第１の外壁部材の内面側に前記第１の外壁部材と離間して配置される内側配置部と、前記第２の外壁部材の外面側に配置される外側配置部とを有する放熱器を備えることを特徴とする。
【０００７】
請求項２記載の発明は、請求項１記載の電子機器において、前記第１の外壁部材は、前記第２の外壁部材よりも外側に位置していることを特徴とする。
【０００８】
請求項３記載の発明は、請求項１又は２記載の電子機器において、前記放熱器には、前記内側配置部の一方の側端から背面側に屈曲した屈曲部が備えられ、前記外側配置部は、前記屈曲部の先端から前記内側配置部と略平行に突出していることを特徴とする。
【０００９】
【発明の実施の形態】
以下、本発明に係る電子機器の実施の形態について、車輌に取り付けられる電子機器を例として図面を用いて説明する。
【００１０】
図１〜３に示す電子機器１は、車輌のダッシュボード（図示なし）に取り付けられるカーオーディオ、カーナビゲーション等として用いられるものである。
電子機器１は、図１に示すように、天板２、底板（図示なし）、側板３および第１の外壁部材としての第１背面板４と、第２の外壁部材としての第２背面板５と、前面板６と、によって箱状体に形成されている。
【００１１】
底板の上面にはＰＣ基板７が取り付けられている。ＰＣ基板７の第１背面板４側には、電子部品としてのアナログＩＣ８が配設されている。
第１背面板４と第２背面板５は、平面視において段差（隙間）を有して並設され、第１背面板４の内側から第２背面板５の外側に繋がるように放熱器９が配置されている。
【００１２】
より具体的には、放熱器９は、第１背面板４の内面側にこの第１背面板４と離間して配置される内側配置部９ａと、この内側配置部９ａの第２背面板５側の側端から背面側に屈曲した屈曲部９ｂと、この屈曲部９ｂの先端から内側配置部９ａと反対側に略平行に突出し、第２背面板５の外側に位置する外側配置部９ｃと、を備えている。内側配置部９ａは、外側配置部９ｃに比べて面積が広く形成されている。
内側配置部９ａの前面にはアナログＩＣ８が取り付けられ、背面には取付金具１０が取り付けられている。外側配置部９ｃは第２背面板５の後面にビス１１により固定されている。
【００１３】
取付金具１０は、放熱器９の内側配置部９ａの後面に当接する平面部１０ａと、この平面部１０ａの両側端から第１背面板４側に起立した起立部１０ｂ、１０ｂとを備えており、起立部１０ｂ、１０ｂの先端側には、平面部１０ａと略平行に第１背面板４が配置されている。そして、この取付金具１０は、ＰＣ基板７に固定される。
【００１４】
第１背面板４には、図示しないスタットに座金１２、フランジナット１３が取り付けられ、スタット表面にはゴム製のブッシュ１４が被覆されている。
【００１５】
次に、上記のように構成された電子機器１に備えられた放熱器９による放熱動作について説明する。
電子機器１が動作されるとアナグロＩＣ８は発熱し、その熱は放熱器９の内側配置部９ａへと伝達される。内側配置部９ａに伝達された熱は、屈曲部９ｂを介して外側配置部９ｃに伝達され、電子機器１の外部へと放出される。この際、内側配置部９ａと第１背面板４とは離間されて配置されており、内側配置部９ａの熱は第１背面板４に直接伝達されることがないように構成されている。
従って、第１背面板４に熱に弱いゴム製のブッシュ１３を取り付けることができる。
【００１６】
以上説明した本発明に係る電子機器１によれば、放熱器９のうち、外壁の外面に設けられている部分は外側配置部９ｃのみで、内側配置部９ａは電子機器１の内部に配置されているので、放熱器全体が外壁の外側に設けられているものに比べて、外形設計の自由度が向上する。しかも、外側配置部９ｃにより熱を効果的に電子機器１の外に放出することができる。
【００１７】
また、第１背面板４は放熱器９と直接接しないため、電子機器１を所定の取付場所に取り付ける場合、第１背面板４と取付場所の取付部とが接触しても取付部に熱影響を与えてしまうことを防止することができる。この際、第２背面板５には、放熱器９の外側配置部９ｃが固定されるので、熱が伝達される。しかし、第１背面板４が第２背面板５よりも外側に位置して出っ張っているため、第２背面板５は取付場所の取付部に接触しにくく、取付部に熱影響を与えてしまう可能性がより低くなる。
加えて、第１背面板４は放熱器９と直接接しないため、この第１背面部にゴム材等の熱に弱い材質のものを取り付けることができる。
【００１８】
また、放熱器９は、内側配置部９ａが取付金具１０によりＰＣ基板８に取り付けられ、第２背面板５に一つのビス１１のみで取り付けることができるため、取付作業が容易となる。
更に、放熱器を機器内部にのみ配置した電子機器に比べて放熱効果が高いので、放熱器や放熱器近傍に他の部材を取り付ける設計許容範囲が広くなる。
【００１９】
また、放熱器９は、屈曲部９ｂにより内側配置部９ａと外側配置部９ｃとが段差になっているので、第１背面板４と第２背面板５の段差を大きくすることなく、第１背面板と内側配置部９ａとの離間距離をとることができるとともに、第１背面板４と第２背面板５の段差をなくすことも可能となって、外観形状をよりシンプルにすることができる。
【００２０】
なお、本発明は、上記実施の形態のものに限るものではない。即ち、第１配置板４と第２配置板５とは、前後方向に段差して並設されているが、段差のない構造にしてもよい。
また、放熱器９は、屈曲部９ｂにより内側配置部９ａと外側配置部９ｃが段差になっているが、段差のない平面板であってもよい。
また、電子機器として、車載用のカーオーディオ、カーナビゲーション等を例示したが、特に、限定されるものでなく、電子部品を備え、動作時に発熱するものであればどのような電子機器であってもよい。
【００２１】
【発明の効果】
本発明によれば、電子機器には、第１の外壁部材の内面側に第１の外壁部材と離間して配置される内側配置部と、第２の外壁部材の外面側に配置される外側配置部とを有する放熱器が備えられているので、放熱効果を損なうことなく、外形設計の自由度をより大きくすることができる。
【図面の簡単な説明】
【図１】本発明に係る電子機器の外観斜視図である。
【図２】図１の電子機器の要部構成を示す分解斜視図である。
【図３】図１の電子機器の背面要部を上面から見た透視図である。
【符号の説明】
１　　電子機器
４　　第１背面板（第１の外壁部材）
５　　第２背面板（第２の外壁部材）
７　　ＰＣ基板
８　　アナログＩＣ（電子部品）
９ａ　内側配置部
９ｂ　屈曲部
９ｃ　外側配置部
【図１】
2004055817.tif 000003
【図２】
2004055817.tif 000004
【図３】
2004055817.tif 000005